(57)【要約】      （修正有）【課題】傘の表面に付着した水分を十分に吸水し、衛生的かつ美観に優れた傘入れを提供する。【解決手段】傘を収納するための傘入れ１００、１１０であって、傘を出し入れするための手元開口部１０と、傘を収納するための本体部２０と、傘の先端部４０を露出させるための先端開口部３０とを備え、手元開口部１０は、円筒形状の吸水性クロスが設けられ、本体部２０は、キルティングクロスで形成される。【選択図】図１
0003214661.tif 000002
【実用新案登録請求の範囲】
【請求項１】
傘を収納するための傘入れであって、
前記傘を出し入れするための手元開口部と、
前記傘を収納するための本体部と、
前記傘の先端部を露出させるための先端開口部とを備え、
前記手元開口部は、円筒形状の吸水性クロスが設けられ、
前記本体部は、キルティングクロスで形成されることを特徴とする傘入れ。
【請求項２】
前記手元開口部に設けられた前記吸水性クロスの高さは、３〜２０ｃｍであることを特徴とする請求項１に記載の傘入れ。
【請求項３】
前記本体部は、前記先端開口部に向かって先細り形状であることを特徴とする請求項１又は２に記載の傘入れ。
【請求項４】
前記手元開口部は、前記吸水性クロスで形成されていることを特徴とする請求項１〜３のいずれか一項に記載の傘入れ。
【請求項５】
前記手元開口部の内周面に、前記吸水性クロスが設けられていることを特徴とする請求項１〜３のいずれか一項に記載の傘入れ。
【請求項６】
前記本体部の内周面の前記先端開口部側に、さらに前記吸水性クロスが設けられていることを特徴とする請求項１〜５のいずれか一項に記載の傘入れ。
【考案の詳細な説明】
【技術分野】
【０００１】
本考案は、傘を収納するための傘入れに関する。
【背景技術】
【０００２】
濡れた傘を持ちながら車や電車に乗ると、車や電車のシートに傘の水滴が付着し、場合によっては、それらのシートを汚したりする。また、濡れた傘に触れて不快な思いをしたり、人に接触し不快な思いをさせたりする。さらに、傘を広げたまま放置した場合、非常にスペースをとる。
【０００３】
そこで濡れた傘を入れるための傘入れが提案されている。例えば特許文献１では筒状の両端部を袋状にして、その一方の袋状にした穴に少し長めの伸縮ゴムを挿通してビ−ズ等で緊縮自在に調整すると共に、他方の端の袋状の穴に伸縮ゴムを挿通して、収縮させた傘カバーが提案されている。
【０００４】
また、特許文献２では、外層に遮水性の素材、内層に吸水機能を有する素材を用いた折りたたみ傘用収納具が提案されている。さらに特許文献３では、水分を拭き取りそのまま傘布を束ねることができる傘リングが提案されている。
【先行技術文献】
【特許文献】
【０００５】
【特許文献１】特開２００１−３３３８１１号公報
【特許文献２】特開２００９−０１１６９２号公報
【特許文献３】特開２０１６−２２１１８８号公報
【考案の概要】
【考案が解決しようとする課題】
【０００６】
しかしながら、上記の提案では、傘に付着した水分を十分に吸水できないので、傘入れに傘を収納したときに、露出した傘の先端から水分が垂れ、床やシートを汚してしまう。さらには、湿気が長時間こもり、菌が増殖し不衛生となることが懸念される。
【０００７】
そこで上記従来技術が有する問題に鑑み、傘の表面に付着した水分を十分に吸水し、衛生的かつ美観に優れた傘入れを提供することを目的とする。
【課題を解決するための手段】
【０００８】
本考案の一態様に係る傘入れは、傘を収納するための傘入れであって、前記傘を出し入れするための手元開口部と、前記傘を収納するための本体部と、前記傘の先端部を露出させるための先端開口部とを備え、前記手元開口部は、円筒形状の吸水性クロスが設けられ、前記本体部は、キルティングクロスで形成されることを特徴とする。
【０００９】
このようにすれば、傘の表面に付着した水分を十分に吸水し、衛生的かつ美観に優れた傘入れを提供することができる。
【００１０】
このとき、本考案の一態様では、前記手元開口部に設けられた前記吸水性クロスの高さは、３〜２０ｃｍとしてもよい。
【００１１】
このようにすれば、傘表面と吸水性クロスとの最適な接触距離となり、傘表面に付着した水分を十分に吸水することができる。
【００１２】
このとき、本考案の一態様では、前記本体部は、前記先端開口部に向かって先細り形状としてもよい。
【００１３】
このようにすれば、傘を傘入れから出し入れしやすいし、入れるとき、先が細くなっているので、より確実に傘の表面に付着した水を吸水できる。また、収納的・外観的にも優れる。
【００１４】
このとき、本考案の一態様では、前記手元開口部は、前記吸水性クロスで形成されていてもよい。
【００１５】
このようにすれば、吸水クロスが大気中に露出しているので、吸水した水分をより蒸発させやすいので、雑菌の繁殖を抑え、不快な匂いも発せず、より衛生的である。
【００１６】
このとき、本考案の一態様では、前記手元開口部の内周面に、前記吸水性クロスが設けられていてもよい。
【００１７】
このようにすれば、傘入れの内径が狭まり、吸水クロスと傘との圧力が高まり、吸水力がさらに向上する。
【００１８】
このとき、本考案の一態様では、前記本体部の内周面の前記先端開口部側に、さらに前記吸水性クロスが設けられていてもよい。
【００１９】
このようにすれば、たたんだ傘を収納している間に傘の内部に付着した水分が下に流れ、先端開口部から水分が垂れることをより防止できる。
【考案の効果】
【００２０】
本考案によれば、傘の表面に付着した水分を十分に吸水し、衛生的かつ美観に優れた傘入れを提供することができる。
【図面の簡単な説明】
【００２１】
【図１】図１は、本考案の一実施形態に係る傘入れを示す概略図であり、図１（Ａ）は傘を収納する前の図であり、図１（Ｂ）は収納した後の図である。
【図２】図２は、本考案の他の態様を示す傘入れを示す概略図であり、図２（Ａ）は、吸水性クロスがキルティングクロスの内側に形成されていることを示す図であり、図２（Ｂ）は、吸水性クロスがさらに先端開口部の円周状に設けられていることを示す図である。
【図３】図３は、本考案の一実施形態に係る傘入れを示す写真である。
【考案を実施するための形態】
【００２２】
以下に説明する本実施形態は、実用新案登録請求の範囲に記載された本考案の内容を不当に限定するものではなく、本考案の要旨を逸脱しない範囲で変更が可能である。また、本実施形態で説明される構成の全てが本考案の解決手段として必須であるとは限らない。本考案の一実施形態に係る傘入れについて、図を用いながら下記に説明する。
【００２３】
本考案の一実施形態に係る傘入れ１００は、図１に示すように、傘を収納するためのものである。また、図１（Ａ）に示すように、上記傘を出し入れするための手元開口部１０と、上記傘を収納するための本体部２０と、上記傘の先端部を露出させるための先端開口部３０とを備える。そして、上記手元開口部１０は、円筒形状の吸水性クロスが設けられ、上記本体部２０は、キルティングクロスで形成されることを特徴とする。図１（Ａ）に示した傘入れ１００に傘を収納させると、図１（Ｂ）に示した様になる。
【００２４】
上記円筒形状の吸水性クロスは、後述するように、当該円筒形状の吸水性クロスで開口部を形成しても良く、あるいは、手元開口部の内周面に設けられても良い。詳細は後述する。
【００２５】
上述のように従来は、子供の送迎時等で濡れた傘の置き場所に困ったり、車の後部座席の足元に置いたりしたとき、傘の骨が折れたりして壊れる場合がある。また、団地などで家族が多かったりすると玄関が傘であふれ収納が困難であったり、美観的にも良くない。そこで本考案の一実施形態に係る傘入れ１００は、上記や下記に記載した構成により優れた効果を有する。
【００２６】
本考案の一実施形態に係る傘入れ１００は、吸水性クロスが上記手元開口部１０に設けられているので、たたんだ傘の表面に付着した水分を確実に吸水クロスにより十分吸水でき、水分が付着した傘を持ったりすることでのべとべと感がなく、車内で放置したときに、車のシートを汚すことがなく、かつ省スペース化が可能となり快適である。また、本体部２０はキルティングクロスで形成しており、当該キルティングクロスは通気性が良いため、傘入れに傘を入れたまま放置しても、傘内部の水分を蒸発させやすい。よって、雑菌の繁殖を抑え、不快な匂いも発せず、非常に衛生的である。さらに傘入れ本体部２０にキルティングクロスを使用しているので美観に優れている。また、濡れた傘をたたまずに傘入れ１００に傘を入れられるので、たたむ手間を省くという利点や、たたむ時に手が汚れないという利点も有する。
【００２７】
また、傘を傘入れ１００に入れて傘入れ１１０のように持ち運びするとき、杖のように傘をついて移動する場合もある。そのため、本体部２０の先端には、傘の先端部４０を露出させるための先端開口部３０が設けられている。先端開口部３０は、当該先端開口部３０を形成するように、穴が開くようにキルティングクロスを設計し、縫い付けても良く、またキルティングクロスに穴を開けて形成されても良い。先端開口部３０は、傘の堅い先端部４０を多数回通すので、先端開口部に補強材を設けることが好ましい。補強材として、キルティングクロスで多重にしたり、吸水クロスで多重にしたり、さらには木やプラスチックの枠を取り付けることが好ましい。具体的な先端開口部３０の内径は０．５〜８ｃｍである。０．５ｃｍ未満では傘の先端が露出できないし、８ｃｍを超えると傘がすり抜けてしまう。また、子供用の傘の先端は丸くなっている場合があるので、この場合の先端開口部３０の内径は大きめの４〜１０ｃｍが好ましい。
【００２８】
本考案の一実施形態に係る傘入れ１００の手元開口部１０の内径は、傘の外径によって適宜調整すればよいが、一般的には、６〜２０ｃｍが好ましい。より好ましくは１０〜２０ｃｍである。広い開口の方が、吸水した水分を蒸発させやすいし、傘を収納しやすい。
【００２９】
また、図１（Ｂ）に示すように、本考案の一実施形態に係る傘入れ１１０の長さＬとしては、傘全体がおおよそ収納できる長さが好ましく、具体的には傘を傘入れ１１０に収納したとき、傘の柄５０が出る程度の傘入れ１１０の長さが好ましい。このようにすれば、傘を傘入れにスムーズに収納でき、かつ傘の表面に付着した水を確実に吸水でき、傘の濡れている部分が露出されず、不快感は生じないし感じさせない。大人用や子供用の傘に対応可能である。
【００３０】
本考案の一実施形態に係る傘入れは、通常の折りたたみでない傘や折りたたみの傘にも適用可能である。折りたたみの傘の場合も、上述した通常の傘と同様に、その傘の長さに合うように、折りたたみ傘の全体がおおよそ収納できる長さとなるよう、本体部２０の長さを適宜調整すればよい。
【００３１】
また、上記手元開口部１０に設けられた吸水性クロスの高さＨは、３〜２０ｃｍであることが好ましい。３ｃｍ未満では、傘入れ１００に傘を収納する時に、傘表面と上記手元開口部１０に設けられた吸水性クロスとの接触距離が短いため、傘の表面についた水を吸水し難い場合がある。一方、２０ｃｍより大きいと、傘表面と傘入れカバーとの十分な接触距離により、吸水性は十分であるが、吸水クロスを多く使用し、キルティングクロスよりも吸水クロスの方が一般的に高価なため、コストが増加する傾向にある。また、吸水クロスは、キルティングクロスよりもクロスの種類が少ないため、クロスの種類の選択肢が狭くなる傾向にある。よって、上記手元開口部１０に設けられた吸水性クロスの高さＨは、上記の範囲が好ましい。さらに好ましくは１０〜２０ｃｍ、最も好ましくは１５〜２０ｃｍである。
【００３２】
上記本体部２０は、図１（Ａ）に示すように、上記先端開口部３０に向かって先細り形状であることが好ましい。このようにすれば、傘を傘入れ１００から出し入れしやすいし、入れるとき、先が細くなっているので、より確実に傘の表面に付着した水を吸水できる。また、収納にも美観にも優れる。
【００３３】
上記手元開口部１０は、前記吸水性クロスで形成されていることが好ましい。言い換えれば、吸水性クロスが手元開口部１０となる。このようにすれば、吸水クロスが大気中に露出しているので、吸水した水分を蒸発させやすくなる。よって、傘や傘入れ自体の雑菌の繁殖を抑え、不快な匂いも発せず、より衛生的である。
【００３４】
また、図２（Ａ）に示すように、手元開口部１０の内周面に、吸水性クロス６０が設けられていることも好ましい。このようにすれば、傘入れ１５０の手元開口部１０の内径が狭まり、吸水クロスと傘との圧力が高まり、吸水力がさらに向上する。この場合も手元開口部１０の高さは３〜２０ｃｍが好ましい。吸水性クロス６０の高さは、手元開口部１０の高さと同じでも良く、手元開口部１０の高さより低くても良い。
【００３５】
このとき、吸水性クロス６０は本体部の手元開口部１０の内周面に直接縫い付けても良い。また、吸水クロス６０が取り外し可能となるような部材を介して、吸水性クロスを設けても良い。取り外し可能となるような部材としては、限定はされないが、例えばマジックテープ（登録商標）や、スナップボタンなどが挙げられ、それらにより手元開口部１０の内周面に吸水性クロスを貼り付けても良い。この場合には、取り外しが可能であるので、水が吸水されていない吸水性クロスに交換でき、頻繁に傘入れを使用しより多くの吸水力を必要とする場合に好ましい。なお、本態様について、手元開口部１０はキルティングクロスで形成されても良い。また、本態様について、吸水クロス６０に吸水した水分の転写をより避けたい場合は、手元開口部１０は撥水キルトで形成されても良い。
【００３６】
さらに図２（Ｂ）に示すように、本体部２０の内周面の先端開口部３０側に、さらに吸水性クロス７０が設けられていることが好ましい。このようにすれば、傘を収納している間に傘の内部に付着した水分が下に流れ、先端開口部３０から水分が垂れることをより防止できる。
【００３７】
吸水性クロスの種類としては、水分の吸収能力が高いものが好ましく、限定はされないが、８μｍ以下の極細のナイロンやポリエステルなどの繊維からなるマイクロファイバー、マイクロクロス、セルロースと綿からなるスポンジクロス、不織布ふきんなどが挙げられる。また、上記に挙げられた吸水性クロスは、水を蒸発させやすいので、菌の増殖を抑え衛生的である。
【００３８】
キルティングクロスの種類としては、ヨーロッパキルト、ツインキルト、フォーシーズンキルト、ダイレクトキルト、薄型キルト、ピースドキルト、ログキャビン、ホワイトキルト、アーミッシュキルト、サンプラーキルト、アップリケキルト、ボルチモアキルト、ハワイアンキルト、セルティックキルト等が挙げられる。従来、布に撥水性のものが用いられている場合もあるが、そのような布を用いると水を吸水した吸水クロスやキルティングクロスに含まれる水分が蒸発できず、菌が発生し不衛生である。よって本考案の一実施形態に係る傘入れは、吸水性クロスが設けられ、キルティングクロスで形成されている。
【００３９】
このように、キルティングクロスの種類が豊富のため、自分の傘がすぐ分かるように好きな柄を選ぶことができ、何通りものデザインが可能である。また、子供から大人、女性・男性を問わず快適に使用でき、美観にも優れる。さらに、使用する人により吸水性の高い種類を選ぶことができる。
【００４０】
上述した吸水クロス及びキルティングクロスは、抗菌加工を施したものがより好ましい。このようにすれば、さらに菌の増殖を抑え衛生的である。また、図３に示すように、手元開口部１０又は本体部２０にループをつけても良い。このようにすれば、フック等にかけることができ、収納も便利である。さらに美的観点からチロリアンテープを設けても良い。また、手元開口部１０及び本体部２０にファスナーを取り付けても良く、又は通気性を向上させるための開口を設けても良い。さらに、手元開口部１０に開口部調節機能を設けても良い。簡単な開口部調節機能としては、開口部の外周上に沿ってひもを通す穴を設け、その穴にひもを通し、そのひもを引っ張る等により手元開口部１０の径を調節する。このようにすれば、様々な傘の径に対応可能であり、美観にも優れる。また、傘入れの手元開口部１０付近に手を添えて、傘を回しながら入れると、吸水クロスと傘が触れる機会が増えるので、傘に付着した水分をより吸水できるし、傘を傘入れにきれいに納めることができる。
【００４１】
以上のように、本考案の一実施形態に係る傘入れは、傘を収納するための傘入れであって、前記傘を出し入れするための手元開口部と、前記傘を収納するための本体部と、前記傘の先端部を露出させるための先端開口部とを備え、前記手元開口部は、円筒形状の吸水性クロスが設けられ、前記本体部は、キルティングクロスで形成されることを特徴とする。
【００４２】
このようにすれば、傘の表面に付着した水分を十分に吸水し、傘入れに傘を収納したときに、露出した傘の先端から水分が垂れるのを防止できる。そして、吸水した水や傘内部の水を蒸発させやすいので、衛生的かつ美観に優れた傘入れを提供することができる。
【００４３】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００４４】
例えば、明細書又は図面において、少なくとも一度、より広義又は同義な異なる用語と共に記載された用語は、明細書又は図面のいかなる箇所においても、その異なる用語に置き換えることができる。また傘入れの構成、動作も本考案の各実施形態及び各実施例で説明したものに限定されず、種々の変形実施が可能である。
【符号の説明】
【００４５】
１０  手元開口部、２０  本体部、３０  先端開口部、４０  傘の先端部、５０  傘の柄、６０  内周面の手元開口部側に設けられた吸水性クロス、７０  内周面の先端開口部側に設けられた吸水性クロス
１００  １１０  １５０  ２００  傘入れ
【図１】
0003214661.tif 000003
【図２】
0003214661.tif 000004
【図３】
0003214661.tif 000005